(57)【要約】【課題】洗浄性に優れ、アルミニウム等の軽金属を腐食させる虞がないとともに、洗浄後にすすぎ水由来の硬度成分が不溶性の塩を形成することがなく、飲料・食品製造工場や厨房等の洗浄を効果的に行うことができる発泡洗浄剤組成物を提供する。【解決手段】本発明の発泡洗浄剤組成物は、（Ａ）成分としてアルキルジメチルアミンオキシド、（Ｂ）成分としてアルカンスルホン酸又はその塩、（Ｃ）成分として芳香族スルホン酸又はその塩、（Ｄ）成分としてアルカリ金属水酸化物、（Ｅ）成分として有機ホスホン酸又はその塩、（Ｆ）成分として次亜塩素酸アルカリ金属塩、（Ｇ）成分として水、を含有することを特徴とする【選択図】なし【特許請求の範囲】
【請求項１】
（Ａ）成分としてアルキルジメチルアミンオキシド、
（Ｂ）成分としてアルカンスルホン酸又はその塩、
（Ｃ）成分として芳香族スルホン酸又はその塩、
（Ｄ）成分としてアルカリ金属水酸化物、
（Ｅ）成分として有機ホスホン酸又はその塩、
（Ｆ）成分として次亜塩素酸アルカリ金属塩、
（Ｇ）成分として水、
を含有することを特徴とする発泡洗浄剤組成物。
【請求項２】
（Ａ）成分を１〜５質量％含有する請求項１記載の発泡洗浄剤組成物。
【請求項３】
（Ｂ）成分を０．１〜４質量％含有する請求項１又は２記載の発泡洗浄剤組成物。
【請求項４】
（Ｃ）成分を１〜６質量％含有する請求項１〜３のいずれか一項に記載の発泡洗浄剤組成物。
【請求項５】
（Ｄ）成分を１〜１５質量％含有する請求項１〜４のいずれか一項に記載の発泡洗浄剤組成物。
【請求項６】
（Ｅ）成分を０．２〜７質量％含有する請求項１〜５のいずれか一項に記載の発泡洗浄剤組成物。
【請求項７】
（Ｆ）成分を有効塩素量１〜７質量％となる量含有する請求項１〜６のいずれか一項に記載の発泡洗浄剤組成物。
【請求項８】
（Ａ）成分が炭化水素基の炭素数が８〜１６であるアルキルジメチルアミンオキシドである請求項１〜７のいずれか一項に記載の発泡洗浄剤組成物。
【請求項９】
（Ｂ）成分が、下記一般式（１）で示される２級アルカンスルホン酸又はその塩である請求項１〜８のいずれか一項に記載の発泡洗浄剤組成物。
【化１】
2017057345.tif 000010
（式中、Ｒ及びＲ′は、直鎖又は分岐のアルキル基を示し、Ｍ は水素又はアルカリ金属である。）
【請求項１０】
（Ｃ）成分がメタキシレンスルホン酸又はそのアルカリ金属塩、パラトルエンスルホン酸又はそのアルカリ金属塩、キュメンスルホン酸又はそのアルカリ金属塩から選択される少なくとも１種以上である請求項１〜９のいずれか一項に記載の発泡洗浄剤組成物。
【請求項１１】
（Ｄ）成分が水酸化ナトリウム又は水酸化カリウムから選択される少なくとも１種以上である請求項１〜１０のいずれか一項に記載の発泡洗浄剤組成物。
【請求項１２】
（Ｅ）成分が２−ホスホノブタン−１，２，４−トリカルボン酸又はその塩である請求項１〜１１のいずれか一項に記載の発泡洗浄剤組成物。
【請求項１３】
さらに、（Ｈ）成分として、水溶性カルシウム化合物を含有する請求項１〜１２のいずれか一項に記載の発泡洗浄剤組成物。
【請求項１４】
（Ｈ）成分を０．１〜５質量％含有する請求項１３記載の発泡洗浄剤組成物。
【請求項１５】
さらに、（Ｉ）成分として、酒石酸又はその塩を含有する請求項１〜１４のいずれか一項に記載の発泡洗浄剤組成物。
【請求項１６】
（Ｉ）成分を０．０５〜１質量％含有する請求項１５記載の発泡洗浄剤組成物。
【請求項１７】
さらに（Ｊ）成分として、カチオン系除菌剤を含有する請求項１〜１６のいずれか一項に記載の発泡洗浄剤組成物。
【請求項１８】
（Ｊ）成分を０．０５〜３質量％含有する請求項１７記載の発泡洗浄剤組成物。
【請求項１９】
さらに、（Ｋ）成分として、縮合リン酸又はその塩を含有する請求項１〜１８のいずれか一項に記載の発泡洗浄剤組成物。
【請求項２０】
（Ｋ）成分を１〜５質量％含有する請求項１９記載の発泡洗浄剤組成物。
【請求項２１】
さらに、（Ｌ）成分として高分子分散剤を含有する請求項１〜２０のいずれか一項に記載の発泡洗浄剤措定物。
【請求項２２】
（Ｌ）成分を０．１〜５質量％含有する請求項２１記載の発泡洗浄剤組成物。
【請求項２３】
さらに、（Ｍ）成分として、炭素数８〜２２である脂肪酸又はその塩を含有する請求項１〜２２のいずれか一項に記載の発泡洗浄剤組成物。
【請求項２４】
（Ｍ）成分を０．０１〜１質量％含有する請求項２３記載の発泡洗浄剤組成物。
【請求項２５】
請求項１〜２４のいずれか一項に記載の発泡洗浄剤組成物を水で１０倍〜１００倍に希釈する工程と、起泡させて比重０．０５〜０．９ｇ／立方センチメートルの泡または泡と液の混合物として被洗浄物の表面に吹付ける工程と、被洗浄物に吹き付けた後静置するか、擦り洗いする工程と、水ですすぐ工程とからなることを特徴とする洗浄方法。
【発明の詳細な説明】
【技術分野】
【０００１】
本発明は、主に飲料・食品製造工場や厨房で使用することができる、洗浄効果及び除菌効果が高く、かつ垂直面に対する付着効果に優れた発泡洗浄剤組成物及び洗浄方法に関する。
【背景技術】
【０００２】
飲料・食品製造工場や厨房に使用される洗剤には、高い洗浄効果が要求されるが、食中毒やその他の病原菌への対策として除菌効果も要求されている。製造環境を衛生的に保つため、並びに製造機器を介した異物混入や交差汚染の防止のために、壁、床等の施設や充填機、フリーザー等の製造関連機器をアルカリ性の洗浄剤を用いて洗浄している。その際に洗浄性及び除菌性向上のために次亜塩素酸のアルカリ金属塩を添加し、さらに被洗浄物への洗浄剤付着時間を向上させるために発泡性を持たせた発泡洗浄剤に圧縮空気を混合させ泡状にして吹きつける洗浄方法が一般的である。
【０００３】
従来の発泡洗浄剤として例えば特許文献１には、アルカリ剤とアニオン界面活性剤、炭素原子数が８〜１８のアルキル基を有するアルキルジメチルアミンオキサイド、炭素原子数６〜１４の脂肪酸又はその塩を必須成分として含有し、さらに塩素系酸化剤を添加した発泡洗浄剤組成物が開示されている。
【先行技術文献】
【特許文献】
【０００４】
【特許文献１】特開２０１３−２４９３８３号公報
【発明の概要】
【発明が解決しようとする課題】
【０００５】
しかしながら、特許文献１に記載されている発泡洗浄剤組成物は、洗浄性に改善の余地があり、アルミニウム等の軽金属に対する腐食性の問題や、洗浄後にすすぎ水由来の硬度成分が不溶性の塩を形成し、被洗浄物に付着して新たな汚れとなる課題があった。
【０００６】
従って、本発明の目的は、洗浄性に優れ、アルミニウム等の軽金属に使用した際に腐食させることがなく、洗浄後にすすぎ水由来の硬度成分が不溶性の塩を形成することがない発泡洗浄剤組成物及び洗浄方法を提供することにある。
【課題を解決するための手段】
【０００７】
上記課題を解決するために、本発明者等は鋭意検討した結果、（Ａ）アルキル基の炭素数が６〜２２であるアルキルジメチルアミンオキシド、（Ｂ）アルカンスルホン酸塩又はその塩、（Ｃ）芳香族スルホン酸塩又はその塩、（Ｄ）アルカリ金属水酸化物、（Ｅ）有機ホスホン酸またはその塩、（Ｆ）次亜塩素酸アルカリ金属塩、（Ｇ）水を含有することを特徴とする発泡洗浄剤組成物及びその洗浄方法が、従来の洗浄剤組成物が有していた問題を解決できることを見出し、本発明を完成するに至った。
【０００８】
即ち本発明は
（１）（Ａ）成分としてアルキルジメチルアミンオキシド、（Ｂ）成分としてアルカンスルホン酸又はその塩、（Ｃ）成分として芳香族スルホン酸又はその塩、（Ｄ）成分としてアルカリ金属水酸化物、（Ｅ）成分として有機ホスホン酸又はその塩、（Ｆ）成分として次亜塩素酸アルカリ金属塩、（Ｇ）成分として水を含有することを特徴とする発泡洗浄剤組成物、
（２）（Ａ）成分を１〜５質量％含有する上記（１）の発泡洗浄剤組成物、
（３）（Ｂ）成分を０．１〜４質量％含有する上記（１）又は（２）の発泡洗浄剤組成物、
（４）（Ｃ）成分を１〜６質量％含有する上記（１）〜（３）のいずれかの発泡洗浄剤組成物、
（５）（Ｄ）成分を１〜１５質量％含有する上記（１）〜（４）のいずれかの発泡洗浄剤組成物、
（６）（Ｅ）成分を０．２〜７質量％含有する上記（１）〜（５）のいずれかの発泡洗浄剤組成物、
（７）（Ｆ）成分を有効塩素量１〜７質量％となる量含有する上記（１）〜（６）のいずれかの発泡洗浄剤組成物、
（８）（Ａ）成分が炭化水素基の炭素数が８〜１６であるアルキルジメチルアミンオキシドである上記（１）〜（７）のいずれかの発泡洗浄剤組成物、
（９）（Ｂ）成分が下記一般式（１）で示される２級アルカンスルホン酸又はその塩である上記（１）〜（８）のいずれかの発泡洗浄剤組成物、
【０００９】
【化１】
2017057345.tif 000002
式中、Ｒ及びＲ′は、直鎖又は分岐のアルキル基を示し、Ｍは水素又はアルカリ金属である。
【００１０】
（１０）（Ｃ）成分がメタキシレンスルホン酸又はそのアルカリ金属塩、パラトルエンスルホン酸又はそのアルカリ金属塩、キュメンスルホン酸又はそのアルカリ金属塩から選択される少なくとも１種以上である上記（１）〜（９）のいずれかの発泡洗浄剤組成物、
（１１）（Ｄ）成分が水酸化ナトリウム又は水酸化カリウムから選択される少なくとも１種以上である上記（１）〜（１０）のいずれかの発泡洗浄剤組成物、
（１２）（Ｅ）成分が２−ホスホノブタン−１，２，４−トリカルボン酸又はその塩である上記（１）〜（１１）のいずれかの発泡洗浄剤組成物、
（１３）さらに（Ｈ）成分として水溶性カルシウム化合物を含有する上記（１）〜（１２）のいずれかの発泡洗浄剤組成物、
（１４）（Ｈ）成分を０．１〜５質量％含有する上記（１３）の発泡性洗浄剤組成物、
（１５）さらに（Ｉ）成分として酒石酸又はその塩を含有する上記（１）〜（１４）のいずれかの発泡洗浄剤組成物、
（１６）（Ｉ）成分を０．０５〜１質量％含有する上記（１５）の発泡洗浄剤組成物。
（１７）さらに（Ｊ）成分としてカチオン系除菌剤を含有する上記（１）〜（１６）のいずれかの発泡洗浄剤組成物、
（１８）（Ｊ）成分を０．０５〜３質量％含有する上記（１７）の発泡洗浄剤組成物、
【００１１】
（１９）さらに（Ｋ）成分として縮合リン酸又はその塩を含有する上記（１）〜（１８）のいずれかの発泡洗浄剤組成物、
（２０）（Ｋ）成分を１〜５質量％含有する上記（１９）の発泡洗浄剤組成物、
（２１）さらに（Ｌ）成分として高分子分散剤を含有する上記（１）〜（２０）のいずれかの発泡洗浄剤組成物、
（２２）（Ｌ）成分を０．１〜５質量％含有する上記（２１）の発泡洗浄剤組成物、
（２３）さらに（Ｍ）成分として炭素数８〜２２である脂肪酸又はその塩を含有する上記（１）〜（２２）のいずれかの発泡洗浄剤組成物、
（２４）（Ｍ）成分を０．０１〜１質量％含有する上記（２３）の発泡洗浄剤組成物、
（２５）上記（１）〜（２４）のいずれかの発泡洗浄剤組成物を水で１０倍〜１００倍に希釈する工程と、起泡させて比重０．０５〜０．９ｇ／立方センチメートルの泡または泡と液の混合物として被洗浄物の表面に吹付ける工程と、被洗浄物に吹き付けた後静置するか、擦り洗いする工程と、水ですすぐ工程とからなる洗浄方法、
を要旨とするものである。
【発明の効果】
【００１２】
本発明の発泡洗浄剤組成物は、洗浄性に優れ、アルミニウム等の軽金属を腐食する虞がなく、洗浄後にすすぎ水由来の硬度成分が不溶性の塩を形成することがなく、飲料・食品製造向上や厨房の洗浄を効果的に行うことができる。
【発明を実施するための形態】
【００１３】
本発明の発泡洗浄剤組成物における（Ａ）成分のアルキルジメチルアミンオキシドとしては、炭化水素基の炭素数が６〜２２である、炭化水素基がヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基等が挙げられ、洗浄性の点でオクチル基、デシル基、ドデシル基、トリデシル基、テトラデシル基、ヘキサデシル基が好ましい。中でも炭化水素基の炭素数が８〜１６であるアルキルジメチルアミンオキシドが好ましい。これらアルキルジメチルアミンオキシドは単独で用いても、２種以上を組み合わせて用いても良い。（Ａ）成分の発泡洗浄剤組成物中の割合は、１〜５質量％であることが好ましいが、２〜４質量％であることがより好ましい。（Ａ）成分の割合が１質量％未満であると洗浄性及び発泡性が低下する虞があり、５質量％を超えると洗浄性及び発泡性が飽和するため経済性に乏しく、さらに有効塩素安定性が低下する虞があるため好ましくない。
【００１４】
本発明の発泡洗浄剤組成物中における（Ｂ）成分の割合は、０．１〜４質量％であることが好ましく、０．８〜２質量％がより好ましい。（Ｂ）成分の割合が０．１質量％未満であると洗浄性及び発泡性が低下する虞があり、４質量％を超えると洗浄性及び発泡性が飽和するため経済性に乏しく、さらに有効塩素安定性が低下する虞がある。（Ｂ）成分であるアルカンスルホン酸塩としては、下記一般式（１）で示される２級アルカンスルホン酸又はその塩が好ましい。これらは単独で用いても、２種以上を組み合わせても良い。
【００１５】
【化２】
2017057345.tif 000003
（式中、Ｒ及びＲ′はアルキル基を示し、Ｍは水素又はアルカリ金属である。）
【００１６】
（１）式で示される２級アルカンスルホン酸又はその塩は、Ｒ及びＲ′の炭素数の合計が９〜１７であるものが好ましく、１３〜１７であるものがより好ましい。またアルカリ金属としてはナトリウム又はカリウムが好ましい。
【００１７】
本発明の発泡洗浄剤組成物中の（Ｃ）成分の割合は、１〜６質量％であることが好ましく、２〜５．５質量％であることがより好ましい。（Ｃ）成分の割合が１質量％未満であると発泡洗浄剤組成物の粘度が高くなり、ポンプで供給できない虞があり、６質量％を超えて配合すると被洗浄物への付着性が低下する虞がある。本発明の発泡洗浄剤組成物における（Ｃ）成分である芳香族スルホン酸又はその塩としては、メタキシレンスルホン酸又はそのアルカリ金属塩、パラトルエンスルホン酸又はそのアルカリ金属塩、キュメンスルホン酸又はそのアルカリ金属塩が好ましく、これらは単独で用いても、２種以上を組み合わせても良い。
【００１８】
本発明の発泡洗浄剤組成物における（Ｄ）成分であるアルカリ金属水酸化物としては、水酸化リチウム、水酸化ナトリウム、水酸化カリウム等が挙げられ、これらは単独で用いても、２種以上を組み合わせても良い。（Ｄ）成分のアルカリ金属水酸化物としては水酸化ナトリウム、水酸化カリウムが好ましい。（Ｄ）成分の発泡洗浄剤組成物中の割合は、１〜１５質量％であることが好ましく、１．５〜１０質量％であることがより好ましい。（Ｄ）成分が１質量％未満であると洗浄性が低下する虞があり、１５質量％を超えて配合すると有効塩素安定性が低下する虞がある。
【００１９】
本発明の発泡洗浄剤組成物における（Ｅ）成分である有機ホスホン酸又はその塩としては、２−ホスホノブタン−１，２，４−トリカルボン酸又はその塩、１−ヒドロキシエタン−１，１−ジホスホン酸又はその塩が挙げられるが、有効塩素安定性の点から、２−ホスホノブタン−１，２，４−トリカルボン酸ナトリウム又は２−ホスホノブタン−１，２，４−トリカルボン酸カリウムが好ましい。（Ｅ）成分は単独で用いても、２種以上を組み合わせても良い。（Ｅ）成分の発泡洗浄剤組成物中の割合は、０．２〜７質量％であることが好ましく、３〜６質量％であることがより好ましい。（Ｅ）成分が０．２質量％未満であると金属腐食防止性が低下する虞があり、７質量％を超えて配合すると有効塩素安定性が低下する虞がある。
【００２０】
本発明の発泡洗浄剤組成物における（Ｆ）成分である次亜塩素酸アルカリ金属塩としては、次亜塩素酸ナトリウム、次亜塩素酸カリウム、次亜塩素酸カルシウム等が挙げられるが、入手のしやすさ及び洗浄性の点から次亜塩素酸ナトリウムが好ましい。次亜塩素酸ナトリウムとしては、通常、市販の低食塩タイプものを用いることが好ましく、例えば、商品名：低食塩ジアソー（有効塩素１２％以上、食塩４％以下、遊離アルカリ２％以下、日本軽金属社製）、商品名：次亜塩素酸ソーダ（低食塩、食品添加物）（有効塩素１２％以上、食塩４％以下、遊離アルカリ１％以下、旭硝子社製）等が挙げられる。これら市販の次亜塩素酸ナトリウムは、通常、有効塩素濃度６〜１３％を主成分とし、水酸化ナトリウム、炭酸ナトリウム等のアルカリ剤０．１〜２％、塩化ナトリウム１〜４％を含有しているものである。（Ｆ）成分は、有効塩素量として１〜７質量％となるように発泡洗浄剤組成物中に配合することが好ましく、有効塩素量２〜５質量％となるように配合することがより好ましい。（Ｆ）成分の配合量が有効塩素として１質量％未満となる量であると洗浄性が低下する虞があり、７質量％を超える量であると貯蔵安定性が低下する虞がある。
【００２１】
本発明の発泡洗浄剤組成物における（Ｇ）成分の水は、水道水、軟水化処理水、純水、ＲＯ水、イオン交換水、蒸留水を用いることができるが、有効塩素安定性及び貯蔵安定性の点から、純水、ＲＯ水、イオン交換水、蒸留水が好ましい。
【００２２】
本発明の発泡洗浄剤組成物は、さらに（Ｈ）成分として水溶性カルシウム化合物を配合することが好ましい。水溶性カルシウム化合物としては、例えば、塩化カルシウム、安息香酸カルシウム、酢酸カルシウム、ギ酸カルシウム、プロピオン酸カルシウム、乳酸カルシウム、グルコン酸カルシウム、臭化カルシウム、硝酸カルシウム、リン酸二水素カルシウム、リン酸化オリゴ糖カルシウム、グリセロリン酸カルシウム又はこれらの水和物が挙げられる。これらは単独で用いても、２種以上を組み合わせても良い。なかでも、溶解度が特に高い点から、塩化カルシウム、安息香酸カルシウム、酢酸カルシウム又はこれらの水和物がさらに好ましい。（Ｈ）成分の発泡洗浄剤組成物中の割合は、０．１〜５質量％であることが好ましく、０．５〜２質量％であることがより好ましい。（Ｈ）成分が０．１質量％未満であると金属腐食防止性が低下する虞があり、５質量％を超えて配合すると貯蔵安定性が低下する虞がある。
【００２３】
本発明の発泡洗浄剤組成物は金属腐食防止性を向上させるために、さらに（Ｉ）成分として酒石酸又はその塩を配合することが好ましい。（Ｉ）成分の発泡洗浄剤組成物中の割合は、０．０５〜１質量％であることが好ましく、０．１〜０．５質量％であることがより好ましい。（Ｉ）成分の配合量が０．０５質量％未満であると金属腐食防止性が向上しない虞があり、１質量％を超えて配合すると貯蔵安定性が低下する虞がある。
【００２４】
本発明の発泡洗浄剤組成物は被洗浄物への付着性を向上させるとともに除菌性を向上させるため、さらに（Ｊ）成分としてカチオン系除菌剤を配合することが好ましい。カチオン系除菌剤としては、アルキルジメチルベンジルアンモニウムクロライド、ヘキサデシルトリメチルアンモニウムクロライド、ジデシルジメチルアンモニウムクロライド、ジデシルジメチルアンモニウムアジペート、ジデシルジメチルアンモニウムグルコネート、ジデシルモノメチルハイドロキシエチルアンモニウムクロライド、ジデシルモノメチルハイドロキシエチルアンモニウムアジペート、ジデシルモノメチルハイドロキシエチルアンモニウムグルコネート、ジデシルモノメチルハイドロキシエチルアンモニウムスルホネート、ジデシルジメチルアンモニウムプロピオネート、ジデシルジメチルアンモニウムメトサルフェート、１，４−ビス（３，３’−（１−デシルピリジニウム）メチルオキシ）ブタンジブロマイド、Ｎ，Ｎ’−ヘキサメチレンビス（４−カルバモイル−１−デシルピリジニウムブロマイド）、アルキルジメチルハイドロキシエチルアンモニウムクロライド、アルキルトリメチルアンモニウムクロライド、アルキルジメチルエチルアンモニウムエチルサルフェート、セチルピリジニウムクロライド、アルキルジメチルエチルベンジルアンモニウムクロライド、デシルイソノニルジメチルアンモニウムクロライド、ジオクチルジメチルアンモニウムクロライド、オクチルデシルジメチルアンモニウムクロライド、ジデシルメチルポリオキシエチレンアンモニウムプロピオネート、ジメチルジ（デシノイルオキシエチル）アンモニウムクロライド、ココアルキルジメチルベンジルアンモニウムクロライド、ベンジルジメチルオキソエチルアンモニウムクロライドおよびベンゼトニウムクロライド等の第四級アンモニウム塩、ポリヘキサメチレンビグアナイドハイドロクロライド、ポリヘキサメチレングアニジンホスフェート、ポリヘキサメチレングアニジンクロライド、グルコン酸クロルヘキシジン等のグアニジン系カチオン界面活性剤、ヘキサデシルトリブチルフォスフォニウムブロマイド、アルキルジアミン又はその塩等が挙げられる。なかでも、有効塩素安定性の点から、アルキル基の炭素原子数８〜１８のアルキルジメチルベンジルアンモニウムクロライド、ジデシルジメチルアンモニウムアジペート、ヘキサデシルトリメチルアンモニウムクロライド、ジデシルジメチルアンモニウムクロライド、ジオクチルジメチルアンモニウムクロライドが好ましい。これらは単独で用いても、２種以上を組み合わせても良い。（Ｊ）成分の発泡洗浄剤組成物中の割合は、０．０５〜３質量％であることが好ましく、０．１〜１質量％であることがより好ましい。（Ｈ）成分の配合量が０．０５質量％未満であると除菌性が低下する虞があり、３質量％を超えて配合すると有効塩素安定性が低下する虞がある。
【００２５】
本発明の発泡洗浄剤組成物は洗浄性及び濯ぎ性を向上させるため、さらに（Ｋ）成分として縮合リン酸又はその塩を配合することができる。縮合リン酸又はその塩としては、トリポリリン酸又はその塩、ピロリン酸又はその塩が挙げられ、中でも、トリポリリン酸ナトリウム、トリポリリン酸カリウムが好ましい。これらは単独で用いても、２種以上を組み合わせても良い。（Ｋ）成分の発泡洗浄剤組成物中の割合は、１〜５質量％配合することが好ましい。（Ｋ）成分の配合量が１質量％未満であると洗浄性及び濯ぎ性が向上しない虞があり、５質量％を超えて配合すると貯蔵安定性が低下する虞がある。
【００２６】
本発明の発泡洗浄剤組成物は濯ぎ性を向上させるために、さらに（Ｌ）成分として高分子分散剤を配合することができる。高分子分散剤としては、ポリカルボン酸型ポリマー、スルホン酸型ポリマー及びこれらの塩より選ばれた少なくとも１種以上が挙げられる。ポリカルボン酸型ポリマーとしては、ポリアクリル酸、ポリマレイン酸、ポリメタクリル酸、アクリル酸型共重合体、マレイン酸型共重合体、メタクリル酸型共重合体等が挙げられるが、ポリアクリル酸やアクリル酸−マレイン酸共重合体がより好ましい。ポリカルボン酸型ポリマーの重量平均分子量は４００〜２０，０００が好ましく、特に好ましくは２，０００〜１５，０００である。ポリカルボン酸型ポリマーの重量平均分子量が４００未満であると、スケール防止性の点で好ましくなく、２０，０００を超えると貯蔵安定性の点で好ましくない。スルホン酸型ポリマーとしては、アクリル酸−スルホン酸型モノマー共重合体が挙げられ、スルホン酸型ポリマーの重量平均分子量は１，０００〜２０，０００が好ましく、特に好ましくは２，０００〜１５，０００である。スルホン酸型ポリマーの重量平均分子量が１，０００未満であると、スケール防止性の点で好ましくなく、２０，０００を超えると貯蔵安定性の点で好ましくない。高分子分散剤として用いるポリカルボン酸型ポリマー、スルホン酸型ポリマーの塩としては、ナトリウム、カリウム等のアルカリ金属塩が好ましい。（Ｌ）成分の発泡洗浄剤組成物中の割合は、０．１〜５質量％が好ましい。（Ｌ）成分の配合量が０．１質量％未満であると濯ぎ性が向上しない虞があり、５質量％を超えて配合すると貯蔵安定性が低下する虞がある。
【００２７】
本発明の発泡洗浄剤組成物は貯蔵安定性を向上させるため、さらに（Ｍ）成分として炭素数８〜２２である脂肪酸又はその塩を配合することができる。炭素数８〜２２である脂肪酸又はその塩としては、２−エチルヘキサン酸、カプロン酸、カプリル酸、カプリン酸、ラウリン酸、ミリスチン酸、ペンタデカン酸、パルミチン酸、マルガリン酸、ステアリン酸、アラキジン酸、ベヘン酸、およびそれらの塩が挙げられ、これらは単独又は混合して用いることができる。通常、脂肪酸アルカリ金属塩が用いられるが、後述するアルカリ金属水酸化物を併用する場合等、アルカリが存在する場合には、脂肪酸の形態でも用いることができる。（Ｍ）成分としては、貯蔵安定性の点から、２−エチルヘキサン酸やカプリル酸、及びそれらの塩が好ましく、中でもカプリル酸ナトリウム、カプリル酸カリウムが好ましい。（Ｍ）成分の発泡洗浄剤組成物中の割合は、０．０１〜１質量％配合することが好ましい。（Ｍ）成分の配合量が０．０１質量％未満であると貯蔵安定性が向上しない虞があり、１質量％を超えて配合すると使用時に被洗浄物への付着性が低下する虞がある。
【００２８】
本発明の発泡洗浄剤組成物は、水で１０倍〜１００倍となるように希釈し、発泡装置等を用いて希釈液を起泡させて比重０．０５〜０．９ｇ／立方センチメートルの泡または泡と液の混合物、好ましくは０．０８〜０．３ｇ／立方センチメートルの泡または泡と液の混合物として被洗浄物表面に吹き付ける。さらに、被洗浄物に吹き付けた後静置、好ましくは３０秒〜１０分間静置してすすぎを行うか、またはブラシやスポンジ等を用いて擦り洗いした後すすぎを行うことが好ましい。
【００２９】
発泡装置としてはエア駆動式ダイアフラムポンプにて送液し、圧縮空気と発泡洗浄剤組成物の希釈液を混合して発泡並びに噴霧する装置を用いることができ、例えばＤＥＭＡ社製９１０  ＰＯＲＴＡＢＬＥ  ＦＯＡＭＥＲが使用できる。供給エア圧としては３０〜８０ＰＳＩが好ましく、４０〜６０ＰＳＩがより好ましい。
【００３０】
ここで、発泡洗浄剤組成物を希釈するために使用される水としては、硬度成分のない純水を用いることもできるが、一般的には水道水のような硬度成分を含有する水を使用することが想定され、水道水は、ドイツ硬度０〜５３．６°ＤＨのものであれば使用することができる。
【００３１】
水道水は、ｐＨ＝５．８〜８．６、総アルカリ度が、ドイツ硬度０〜５３．６°ＤＨ、塩化物イオン０〜２００ｍｇ／Ｌ、ナトリウム及びその化合物０〜２００ｍｇ／Ｌ、硝酸態窒素及び亜硝酸態窒素０〜１０ｍｇ／Ｌ、フッ素及びその化合物０〜０．８ｍｇ／Ｌ、ホウ素及びその化合物０〜１．０ｍｇ／Ｌ、総トリハロメタン０〜０．１ｍｇ／Ｌ、残留塩素０〜１ｍｇ／Ｌ、有機物量（全有機炭素量）０〜３ｍｇ／Ｌであれば、本発明の発泡洗浄剤組成物の希釈用として使用することができる。また総アルカリ度は特に制限はないが、工業用水道供給標準水質として記載されている０〜７５ｍｇ／Ｌ（炭酸カルシウム換算として）が好ましい。
【実施例】
【００３２】
以下、本発明を実施例と比較例により具体的に説明する。実施例、比較例において配合に用いた各成分を下記に示す。
（Ａ）成分
Ａ−１：ラウリルジメチルアミンオキシド、商品名：ＧＥＮＡＭＩＮＯＸ−Ｋ１２（純分３２％）、クラリアントジャパン社製
Ａ−２：ミリスチルジメチルアミンオキシド、商品名：ＧＥＮＡＭＩＮＯＸ  ＭＹ（純分２３％）、クラリアントジャパン社製
【００３３】
（Ｂ）成分
Ｂ−１：２級アルカンスルホン酸ナトリウム−１、商品名：メルソラートＨ９５（純分９５％）、ランクセス社製
Ｂ−２：２級アルカンスルホン酸ナトリウム−２、商品名：ＨＯＳＴＡＰＵＲ  ＳＡＳ３０（純分３０％）、クラリアントジャパン社製
【００３４】
（Ｃ）成分
Ｃ−１：メタキシレンスルホン酸ナトリウム、商品名：メタキシレンスルホン酸ソーダ  ＳＸＳ−Ｙ（純分９７％）、北星興業社製
Ｃ−２：パラトルエンスルホン酸ナトリウム、商品名：トルエンスルホン酸ソーダ（純分９４％）、江南化工社製
【００３５】
（Ｄ）成分
Ｄ−１：水酸化カリウム
Ｄ−２：水酸化ナトリウム
【００３６】
（Ｅ）成分
Ｅ−１：２−ホスホノブタン−１，２，４−トリカルボン酸、商品名：Ｂｅｌｃｌｅｎｅ６５０（純分５０％）、ＢＷＡ社製
【００３７】
（Ｆ）成分
Ｆ−１：次亜塩素酸ナトリウム、商品名：低食塩ジアソー（有効塩素１２％以上、食塩４％以下、遊離アルカリ２％以下）、日本軽金属社製
【００３８】
（Ｇ）成分
Ｇ−１：イオン交換水
【００３９】
（Ｈ）成分
Ｈ−１：酢酸カルシウム・１水和物、商品名：酢酸カルシウム・１水和物（純分９８％）、米山化学工業社製
Ｈ−２：塩化カルシウム・無水和物、商品名：塩化カルシウム粉末（純分９５％以上）、昭和化学社製
【００４０】
（Ｉ）成分
Ｉ−１：酒石酸、商品名：酒石酸（工業用）、小松屋社製
Ｉ−２：リンゴ酸、商品名：ＤＬ−リンゴ酸、磐田化学工業社製
【００４１】
（Ｊ）成分
Ｊ−１：塩化ヘキサデシルトリメチルアンモニウム、商品名：リポカード１６−２９（純分２９％）、ライオン・スペシャリティ・ケミカルズ社製
Ｊ−２：塩化アルキル（Ｃ８〜Ｃ１８）ジメチルベンジルアンモニウム、商品名：リポカードＣＢ−５０（純分５０％）、ライオン・スペシャリティ・ケミカルズ社製
【００４２】
（Ｋ）成分
Ｋ−１：トリポリリン酸ナトリウム、商品名：ＳＴＰＰ  ２０Ｅ、ローディアジャパン社製
【００４３】
（Ｌ）成分
Ｌ−１：ポリアクリル酸 （平均分子量４，５００）商品名：Ｐｒｉｍａｌ ＬＭＷ−４５（純分４８％）、ＲＯＨＭ＆ＨＡＡＳ社製
【００４４】
（Ｍ）成分
Ｍ−１：カプリル酸、商品名：ルナック８−９８（純分９８％）、花王社製
【００４５】
実施例１〜６１、比較例１〜７
表１〜６に示す配合に基づき発泡洗浄剤組成物を調製した。発泡洗浄液の除菌性、洗浄性、安定性等の性状を評価した結果を表１〜６にあわせて示す。尚、表中における実施例および比較例の配合の数値は純分の質量％を表し、（Ｆ）成分は有効塩素濃度（質量％）を示す。
【００４６】
※１：油脂洗浄性試験
試験方法：
ステンレス片［ステンレス（ＳＵＳ３０４）、縦１１０ｍｍ×横８０ｍｍ×厚さ１ｍｍ］に人工汚垢液（牛脂１０ｇ、豚脂１０ｇ、クロロホルム２０ｍＬに溶解したもの）を０．５ｇ滴下し、ガラス棒を用いて全体に塗り広げた後、温度２５℃・湿度０％で１時間乾燥したものを試験片とし質量を測定した。炭酸カルシウム換算で７５ｍｇ／Ｌ［ドイツ硬度４．２°ＤＨ］の硬水で、各発泡洗浄剤組成物を２０℃で５質量％に希釈して調製した発泡洗浄液を、ＤＥＭＡ社製９１０  ＰＯＲＴＡＢＬＥ  ＦＯＡＭＥＲを用いて、比重０．１５ｇ／立方センチメートルの泡状に起泡させた後、垂直面に貼り付けた試験片に２ｃｍ以下の泡の厚みとなるように吹付け、５分後に流水ですすいだ後、２５℃・湿度０％で１０時間以上乾燥させ質量を測定した。その後、次式から算出される洗浄率より下記基準で評価した。
洗浄率（％）＝［汚れ付着後試験片質量（ｇ）−洗浄後試験片質量（ｇ）］×１００
／［汚れ付着後試験片質量（ｇ）−未使用パネル質量（ｇ）］
評価基準：
○：洗浄率６０％以上
△：洗浄率３０％以上、６０％未満
×：洗浄率３０％未満
とし、○、△を実用性のあるものとして判定した。
【００４７】
※２：タンパク洗浄性試験
試験方法：
ステンレス片［ステンレス（ＳＵＳ３０４）、縦１１０ｍｍ×横８０ｍｍ×厚さ１ｍｍ］に豆乳を０．１ｇ滴下し、ガラス棒を用いて全体に塗り広げた後、温度１００℃で５分間乾燥したものを試験片とし、質量を測定した。炭酸カルシウム換算で７５ｍｇ／Ｌ［ドイツ硬度４．２°ＤＨ］の硬水で、各発泡洗浄剤組成物を２０℃で５質量％に希釈して調製した発泡洗浄液を、ＤＥＭＡ社製９１０  ＰＯＲＴＡＢＬＥ  ＦＯＡＭＥＲを用いて、比重０．１５ｇ／立方センチメートルの泡状に起泡させた後、垂直面に貼り付けた試験片に２ｃｍ以下の泡の厚みとなるように吹付け、５分後に流水ですすいだ後、２５℃・湿度０％で１０時間以上乾燥させ質量を測定した。その後、次式から算出される洗浄率より下記基準で評価した。
洗浄率（％）＝［汚れ付着後試験片質量（ｇ）−洗浄後試験片質量（ｇ）］×１００
／［汚れ付着後試験片質量（ｇ）−未使用パネル質量（ｇ）］
評価基準：
○：洗浄率９０％以上
△：洗浄率７０％以上、９０％未満
×：洗浄率７０％未満
とし、○、△を実用性のあるものとして判定した。
【００４８】
※３：垂直面付着性試験
試験方法：
炭酸カルシウム換算で７５ｍｇ／Ｌ［ドイツ硬度４．２°ＤＨ］の硬水で、各発泡洗浄剤組成物を２０℃で５質量％に希釈して調製した発泡洗浄液を、ＤＥＭＡ社製９１０  ＰＯＲＴＡＢＬＥ  ＦＯＡＭＥＲを用いて、比重０．１５ｇ／立方センチメートルの泡状に発泡させた後、ステンレス片[ステンレス（ＳＵＳ３０４）]垂直面の縦１ｍ、横１ｍの範囲に対して、２ｃｍ以下の泡の厚みとなるように吹付け、３分後の垂直壁面への付着具合を目視により以下の基準で評価した。
評価基準：
○：ほぼ泡で覆われている
△：泡で半分程度覆われている
×：泡がほとんど垂れ落ちた
とし、○、△を実用性のあるものとして判定した。
【００４９】
※４：濯ぎ性試験
試験方法：
炭酸カルシウム換算で７５ｍｇ／Ｌ［ドイツ硬度４．２°ＤＨ］の硬水で、各発泡洗浄剤組成物を２０℃で５質量％に希釈し、６０℃に加熱した試験片［ステンレス（ＳＵＳ３０４）、縦１１０ｍｍ×横８０ｍｍ×厚さ１ｍｍ］に、スプレーガンを用いて片面に２ｍＬ噴霧し、５分後に流水ですすぎを行った。この操作を１０回繰り返し、ステンレス板へのスケールの付着具合を目視により以下の基準で評価した。
評価基準：
○：白い付着物が認められない
△：試験片に若干、白い付着物が付いている
×：試験片に白い付着物が付いている
とし、○、△を実用性のあるものとして判定した。
【００５０】
※５：貯蔵安定性試験
試験方法：
各発泡洗浄剤組成物１００ｇをポリプロピレン製容器に入れ、４０℃で１ヶ月静置した後、外観を目視により下記基準で評価した。
評価基準：
○：沈殿、浮遊物、濁りを生じることなく透明
×：沈殿、浮遊物、濁りの何れかを生じた
とし、○を実用性のあるものとして判定した。
【００５１】
※６：有効塩素安定性試験
試験方法：
各発泡洗浄剤組成物をポリプロピレン製容器に入れ、４０℃で１ヶ月静置した後、その時の次亜塩素酸塩の保存安定性を有効塩素残存率から以下の基準で評価した。有効塩素残存率はＪＩＳ  Ｋ−０１０１に基づき、以下に示す式により求めた。
有効塩素残存率（％）＝（保存後の組成物中の有効塩素濃度）／（保存前の組成物中の有効塩素濃度）×１００
評価基準：
○：有効塩素残存率７０％以上
△：有効塩素残存率５０％以上、７０％未満
×：有効塩素残存率が５０％未満
とし、○、△を実用性のあるものとして判定した。
【００５２】
※７：アルミニウム腐食防止性試験
試験方法：
試験片［アルミニウム（Ａ１１００Ｐ）、縦５０ｍｍ×横３０ｍｍ×厚さ１ｍｍ］は、予め中性洗剤で洗浄しアセトン処理して乾燥させたものを使用する。炭酸カルシウム換算で、７５ｍｇ／Ｌ［ドイツ硬度４．２°ＤＨ］の硬水で発泡洗浄剤組成物を５質量％に希釈した洗浄液４００ｍＬ中に試験片を２０℃の恒温器内で１時間浸漬した。その後、試験片を取り出し、イオン交換水にてすすぎ乾燥させて、試験片表面の外観状態を目視により観察し、下記基準で腐食性を判定した。
評価基準：
○：腐食がない 
△：やや腐食がみられるが、使用上問題ないレベル
×：腐食した
とし、○、△を実用性のあるものとして判定した。
【００５３】
※８：鉄腐食防止性試験
試験片［鋳鉄（ＦＣ−２００）、縦５０ｍｍ×横３０ｍｍ×厚さ３ｍｍ］は、予め中性洗剤で洗浄しアセトン処理して乾燥させたものを使用する。炭酸カルシウム換算で、７５ｍｇ／Ｌ［ドイツ硬度４．２°ＤＨ］の硬水で各発泡洗浄剤組成物を５質量％に希釈した洗浄液４００ｍｌ中に試験片を浸漬し、２０℃の恒温器内で１時間静置した。その後、試験片を取り出し、イオン交換水にてすすぎ乾燥させて、試験片表面の外観状態を目視により観察し、下記基準で腐食性を判定した。
評価基準：
○：腐食がない 
△：やや腐食がみられるが、使用上問題ないレベル
×：腐食した
とし、○、△を実用性のあるものとして判定した。
【００５４】
※９：除菌性試験
試験方法：
各発泡洗浄剤組成物を炭酸カルシウム換算で、７５ｍｇ／Ｌ［ドイツ硬度４．２°ＤＨ］の硬水で５質量％に希釈して調製した洗浄液１０ｍＬに、終濃度１．５〜５．０×１０５（ＣＦＵ／ｍＬ）となるように菌液０．１ｍＬを添加し、２５℃にて５分間保持したものを試験液とした。この試験液１ｍＬをＳＣＤＬＰ寒天培地にて混和固化し、３７℃で２日間培養した。培養後、生菌数を測定し、初発菌数との差より、以下の基準で除菌性を評価した。
供試菌株：財団法人発酵研究所のＰｓｅｕｄｏｍｏｎａｓ  ａｅｒｕｇｉｎｏｓａ  ＮＢＲＣ１３７３６
評価基準：
○：供試菌のＬｏｇ  ｒｅｄｕｃｔｉｏｎが５以上
×：供試菌のＬｏｇ  ｒｅｄｕｃｔｉｏｎが５未満
とし、○を実用性のあるものとして判定した。
【００５５】
【表１】
2017057345.tif 000004
【００５６】
【表２】
2017057345.tif 000005
【００５７】
【表３】
2017057345.tif 000006
【００５８】
【表４】
2017057345.tif 000007
【００５９】
【表５】
2017057345.tif 000008
【００６０】
【表６】
2017057345.tif 000009